(57)【要約】      （修正有）【課題】配布時には平面状の広告媒体あるいは公報媒体として機能し、組立て時には立体的な広告媒体あるいは公報媒体として機能し、必要に応じて個人情報採取用カードも回収可能な形態に構成されている組立式ポケットティッシュ用函を提供する。【解決手段】配布時には平面形状の広告媒体あるいは広報媒体で、ミシン目で切断し折線にて折曲し一部を接着することによりポケットティッシュ用函となり、さらには必要に応じて個人情報採取用カードも得られるように構成した組立式ポケットティッシュ用函。【選択図】図１
0003104650.tif 000002
【実用新案登録請求の範囲】
【請求項１】
組立式ポケットティッシュ用函であって、配布時には、広告が印刷された平面形状の広告媒体として機能する状態で、上記平面形状の広告媒体を切断し、組立てることにより広告が印刷されたポケットティッシュ用函として構成できることを特徴とする組立式ポケットティッシュ用函。
【請求項２】
組立式ポケットティッシュ用函であって、配布時には、広報が印刷された平面形状の公報媒体として機能する状態で、上記平面形状の公報媒体を切断し、組立てることにより広報が印刷されたポケットティッシュ用函として構成できることを特徴とする組立式ポケットティッシュ用函。
【請求項３】
上記広告媒体が、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成してあり、且上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする請求項１に記載の組立式ポケットティッシュ用函。
【請求項４】
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする請求項３に記載の組立式ポケットティッシュ用函。
【考案の詳細な説明】
【技術分野】
【０００１】
本考案は、組立式ポケットティッシュ用函に関するものであり、さらに詳しくは、下記の構成を有する組立式ポケットティッシュ用函に関するものである。
＜構成１＞
組立式ポケットティッシュ用函であって、配布時には、広告が印刷された平面形状の広告媒体として機能する状態で、上記平面形状の広告媒体を切断し、組立てることにより広告が印刷されたポケットティッシュ用函として構成できることを特徴とする組立式ポケットティッシュ用函。
＜構成２＞
組立式ポケットティッシュ用函であって、配布時には、広報が印刷された平面形状の公報媒体として機能する状態で、上記平面形状の公報媒体を切断し、組立てることにより広報が印刷されたポケットティッシュ用函として構成できることを特徴とする組立式ポケットティッシュ用函。
＜構成３＞
上記広告媒体が、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成してあり、且上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする構成１に記載の組立式ポケットティッシュ用函。
＜構成４＞
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする構成３に記載の組立式ポケットティッシュ用函。
【背景技術】
【０００２】
従来、街角等において無料配布されているポケットティッシュには、該ポケットティッシュの包装膜体に広告や広報が印刷されていたり、あるいは透明の包装膜体の内部に広告や広報を印刷した紙媒体が同封されていて、該ポケットティッシュ自体が一種の広告媒体あるいは広報媒体として機能するという構成のものが多かった。
【０００３】
また、通常、ポケットティッシュは薄いフィルム状の膜体に包装されているだけなので、持ち歩くにはコンパクトで都合が良いが、家庭内や車両内で使う場合には、函入りの普通サイズの所謂ボックスティッシュと比較するとやや使い勝手が悪い場合が多い。その理由は、上記ボックスティッシュは複数のティッシュペーパーを重ねて厚紙製の函に収納してあるので、該函の上面の取出口から片手でティッシュペーパーをつまんで取出すだけでよいが、ポケットティッシュの場合には、片手で全体を把持して、もう一方の手でティッシュペーパーをつまんで取出すこととなり、両手の動作が必要となる煩わしさにあると思われる。
【０００４】
このため、ポケットティッシュ全体を収納し、かつ簡単にティッシュペーパーを取出すことのできるポケットティッシュ用の函が発明・考案されているが、そのうちのいくつかを、下記特許文献１〜７に示す。これらのうち、特許文献１、特許文献５には、「ポケットティッシュ箱」、「ポケットティッシュボックス」を広告宣伝の媒体に使用するという記載が開示されているが、それは、単に上記「ポケットティッシュ箱」、「ポケットティッシュボックス」に絵柄や文字を印刷して広告宣伝の媒体に使用するということに過ぎず、このような考案の場合、組立式になっていても、配布時には、受け取った人は、組立式ポケットティッシュ用函、あるいはその型紙を貰ったという意識が強く、配布時に、配布されたものそのものが平面形状の広告媒体あるいは公報媒体として充分に機能するものではなかった。つまり、ポケットティッシュ用函として組立てられた場合にはじめて充分に機能するように絵柄や文字が構成されている結果として、配布時には絵柄や文字が倒立あるいは横向きになって配置される部分も生じ、結果として１枚の平面形状の広告媒体あるいは公報媒体として充分に機能するとは言い難いものであった。
【０００５】
また、上記「ポケットティッシュ箱」、「ポケットティッシュボックス」は、上記広告宣伝を行う側から使用者に対する１方向性の広告宣伝の媒体として使用されるだけのものである。したがって、前記街頭等で配布されていた広告宣伝の媒体としてのポケットティッシュでの広告宣伝方法を、ポケットティッシュ用の函に応用する、つまり、ポケットティッシュ用の函を１方向性の広告宣伝用の媒体として使用するという段階のものである。
【０００６】
しかしながら、最近、叙上のように単に１方向性の広告宣伝を行うだけではなく、消費者の方からも広告宣伝を行う側（以下「広告主」と記載する）になんらかの情報を提供する形の広告宣伝の方法が注目されるようになってきた。上記の情報は、例えば消費者の住所、氏名、電話番号、年齢、性別等所謂個人情報であり、広告主はこれらの情報をもとにして、ダイレクトメール等の形で特定の個人宛に広告宣伝媒体を受け渡すことが可能となり、不特定多数の消費者に対して広告宣伝を発していく場合に比較してより的確で効率的な広告宣伝を行うことができる。
【０００７】
しかしながら、消費者の方としては、上記個人情報を無償で広告主に提供するということは少なく、なんらかの特典を享受できる代償として広告主に上記個人情報を提供するという場合が多い。例えば、新製品のモニターであるとか、クイズに応募して当選者は景品が貰える等の広告宣伝方法において、はじめて消費者は広告主に上記個人情報を提供することとなる。
【０００８】
しかるに、前記のようにポケットティッシュを街頭等で無償配布するという方法においては、確かに広告宣伝の内容は消費者に伝達されるものの、ポケットティッシュを受け取った消費者が広告主に上記個人情報を提供するということはありえない。したがって、広告主の側としては、全くの不特定多数の消費者に広告宣伝を行う結果となり、広告宣伝の効果も確かめにくく、また、上記個人情報を得てさらに確実な広告宣伝を行うということもできない状況にあった。
【０００９】
ポケットティッシュではないが、ボックスティッシュの函に関しては、函の一部を個人情報の収集手段として活用するという技術内容は開示されている。下記特許文献８に示す「ボックスティッシュ」は、「ボックスティッシュ」の上面のティッシュペーパーの「取り出し口」の「切り取り片」を郵便はがきの大きさとし、該「切り取り片」をミシン目により切り取った後、アンケート欄、商品発注書、資料請求書、情報通信等記載欄のいずれかに利用し、消費者から広告主に返送してもらうという方法である。しかしながら、この場合には、消費者が郵便切手をわざわざ貼って投函しなければならないので、高い回収率はあまり期待できない。また、通常のボックスティッシュより遥かに小さなポケットティッシュの函においては、このように一部を郵便はがきとして利用するということはもとより不可能である。
【特許文献１】実用新案第号３００２２６９号
【特許文献２】実用新案第号３０１６４４４号
【特許文献３】実用新案第号３０２１１５７号
【特許文献４】実用新案第号３０３８７３４号
【特許文献５】実用新案第号３０７２１３０号
【特許文献６】実願平５−６５８８１
【特許文献７】実願平６−４７１７５
【特許文献８】特開２００３−３２７２８０
【考案の開示】
【考案が解決しようとする課題】
【００１０】
上記のような状況に鑑みて、本考案における解決すべき課題を以下のように設定した。
＜課題１＞
組立式ポケットティッシュ用函を広告媒体あるいは広報媒体として利用する場合において、配布時に、受け取った人が、組立式ポケットティッシュ用函、あるいはその型紙を貰ったという意識よりも、配布時にそのものが平面形状の広告媒体あるいは平面形状の公報媒体として充分に機能することにより広告媒体の広告内容あるいは公報媒体の公報内容の方に注意が引かれるような組立式ポケットティッシュ用函を開発する。
＜課題２＞
ポケットティッシュ用函を広告媒体として利用する場合において、単に広告主から消費者へ配布される１方向性の広告媒体としてではなく、消費者の個人情報を効率的に回収できる手段としても機能し得るような組立式ポケットティッシュ用函を開発する。
＜課題３＞
上記組立式ポケットティッシュ用函は、１枚の厚紙を切り取って組立てる組立式とし、消費者に手渡された状態では厚紙製の平面形状の広告媒体であり、消費者が自分で切り取り、組立てることによりポケットティッシュ用函として構成されるものであり、同時に個人情報採取用のカードも得られるような構成とする。
＜課題４＞
上記厚紙の寸法形状を、二つ折程度にした場合に消費者に配布し易いＡ列４番の用紙が入る大きさの封筒（通常「角２」と呼称される封筒で、寸法は２４０ｍｍ×３３２ｍｍ）に入る大きさとする。
【課題を解決するための手段】
【００１１】
本考案は、上記課題を解決するためになされたものであって、以下の解決手段を提供するものである。
＜解決手段１＞
組立式ポケットティッシュ用函であって、配布時には、広告が印刷された平面形状の広告媒体として機能する状態で、上記平面形状の広告媒体を切断し、組立てることにより広告が印刷されたポケットティッシュ用函として構成できることを特徴とする組立式ポケットティッシュ用函。
＜解決手段２＞
組立式ポケットティッシュ用函であって、配布時には、広報が印刷された平面形状の公報媒体として機能する状態で、上記平面形状の公報媒体を切断し、組立てることにより広報が印刷されたポケットティッシュ用函として構成できることを特徴とする組立式ポケットティッシュ用函。
＜解決手段３＞
上記広告媒体が、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成してあり、且上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする解決手段１に記載の組立式ポケットティッシュ用函。
＜解決手段４＞
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする解決手段３に記載の組立式ポケットティッシュ用函。
【００１２】
なお、解決手段４の上記数値限定の根拠は以下のとおりである。すなわち、上記１辺が２７０ｍｍを下回るとポケットティッシュ用函の型紙を得るのに充分な面積を確保し難くなり、３４０ｍｍを上回ると、上記厚紙製広告媒体を二つ折とした場合にＡ列４番の用紙が入る大きさの封筒（所謂角２封筒）に入りにくくなる。この場合、角２封筒の長辺は３３２ｍｍなので、３３２ｍｍを上回る場合は、封筒の蓋を開けたままにしておく。また、上記他辺が３９０ｍｍを下回るとポケットティッシュ用函の型紙を得るのに充分な面積を確保し難くなり、４７０ｍｍを上回ると、上記厚紙製広告媒体を二つ折とした場合にＡ列４番の用紙が入る大きさの封筒（所謂角２封筒）に入りにくくなるという理由による。
【考案の効果】
【００１３】
本考案の解決手段１の考案によれば、組立式ポケットティッシュ用函であって、配布時には、広告が印刷された平面形状の広告媒体として機能する状態で、該平面形状の広告媒体を切断し、組立てることにより広告が印刷されたポケットティッシュ用函として構成できるので、配布時には、平面形状の広告媒体として充分に機能することにより、受け取った人の注意を、組立式ポケットティッシュ用函、あるいはその型紙を貰ったという意識よりも、広告媒体の広告内容の方に引き付けることができ、ポケットティッシュ用函として組立てられたあとは立体的な広告媒体として機能することができる。
【００１４】
本考案の解決手段２の考案によれば、組立式ポケットティッシュ用函であって、配布時には、広報が印刷された平面形状の公報媒体として機能する状態で、該平面形状の公報媒体を切断し、組立てることにより広報が印刷されたポケットティッシュ用函として構成できるので、配布時には、平面形状の公報媒体として充分に機能することにより、受け取った人の注意を、組立式ポケットティッシュ用函、あるいはその型紙を貰ったという意識よりも、公報媒体の公報内容の方に引き付けることができ、ポケットティッシュ用函として組立てられたあとは立体的な公報媒体として機能することができる。
【００１５】
本考案の解決手段３の考案によれば、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成してあるので、広告主側が消費者に上記平面形状の厚紙製広告媒体を配布することにより、消費者は自分で上記切断線にて切離し上記折線にて折曲することによりポケットティッシュ用函を組立てることができ、完成したポケットティッシュ用函はそのまま広告媒体として機能する。すなわち、平面形状の厚紙製広告媒体の段階ではチラシ広告的な広告媒体としての効果を奏し、ポケットティッシュ用函として組立てられた場合には立体形状の広告媒体としての効果を奏することができ、１つの広告媒体によって２重の広告媒体としての効果を奏することができるものである。特に、ポケットティッシュ用函として組立てられた場合の表面になる面は組立てられた場合に広告媒体として成立するように絵柄や文字等の配置を工夫する必要があるが、組立てられた場合の裏面になる面については、レイアウトが完全に自由なチラシ的広告媒体として使用することが可能である。
【００１６】
本考案の解決手段３の考案によれば、上記厚紙製広告媒体のポケットティッシュ用函として用いない部分の一部を上記キリトリ線にて切断することにより住所、氏名等の個人情報を採取できる個人情報採取用カードとして使用できるように構成してあるので、回収方法を工夫することにより、消費者の個人情報を効率的に収集し、より的確な広告宣伝方法を実施するための資料とすることができる。上記回収方法に関しては、例えばイベント等の勧誘として配布する場合には、上記個人情報採取用カードをプレゼントの引換券とし、イベント等にて個人情報を記載した該引換券を持参した人に限りプレゼントを提供するという方法により、極めて効率的に個人情報を収集することが可能である。また、平面形状の広告媒体は、通常消費者が必要な情報を得た後は廃棄されるのが普通であるが、本考案の解決手段２の考案によれば、消費者が必要な情報を得た後も組立ててポケットティッシュ用函として用いることができ、さらに上記厚紙製広告媒体のポケットティッシュ用函として用いない部分も個人情報採取用カードとして使用できるように構成してあるので、材料の無駄が殆ど無く、ゴミを殆ど出さないという点で省資源と環境美化に貢献するものである。
【００１７】
本考案の解決手段４の考案によれば、上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることから、上記厚紙製広告媒体を２つ折にした場合に消費者に配布し易いＡ列４番の用紙が入る大きさの封筒（所謂角２封筒）に入れて消費者に配布することが可能である。この際、上記封筒にポケットティッシュを同封して配布することにより、さらに広告宣伝効果は高められるものである。
【考案を実施するための最良の形態】
【００１８】
考案を実施するための最良の形態を、以下に、図面を参照しながら詳細に説明する。
【実施例１】
【００１９】
＜実施例１の構成＞
本考案の実施例１の組立式ポケットティッシュ用函Ｋは、当初の形態は図１、図２に示すとおりのものであり、当初はチラシ広告として消費者に配布される厚紙製広告媒体Ｃの状態であって、図１は厚紙製広告媒体Ｃの表面Ｃ１を示し、広告用に印刷された文字Ｌや絵柄Ｆ等を表示した状態で示している。また、図２は厚紙製広告媒体Ｃの裏面Ｃ２を示し、やはり広告用に印刷された文字Ｌや絵柄Ｆ等を表示した状態で示している。
【００２０】
図１において、チラシ広告として消費者に配布される厚紙製広告媒体Ｃの表面Ｃ１には切断線Ａ１、Ａ２、Ａ３が穿設され、折線Ｂ１、Ｂ２、Ｂ３が刻設されている。切断線Ａ１、Ａ２、Ａ３は切れ目を点線状に入れた所謂ミシン目で、使用者が指にて容易に切断可能なように構成されている。また、折線Ｂ１、Ｂ２、Ｂ３も使用者が指にて容易に折曲可能なように構成されている。切断線Ａ１はポケットティッシュ用函１（図４ｃ参照）を組立てるための函用型紙１０を切り離すためのものであり、切断線Ａ２は取出口１１ａ（図４ｃ参照）を穿設するためのものであり、切断線Ａ３はポケットティッシュ用函１（図４ｃ参照）の内部に設置するポケットティッシュＰ用の台座２（図４ｃ参照）を構成するための台座用型紙２０を切り離すためのものである。また、折線Ｂ１はポケットティッシュ用函１（図４ｃ参照）を組立てるためのものであり、折線Ｂ２はポケットティッシュ用函１（図４ｃ参照）を組立てるためのものであると同時に厚紙製広告媒体Ｃを丁度半分のサイズに二つ折りするためのものであり、折線Ｂ３は台座用型紙２０を組立てるためのものである。なお、厚紙製広告媒体Ｃは印刷用紙の規格サイズの一種であるＡ列３番の寸法、すなわち１辺が２９７ｍｍで他辺が４２０ｍｍの寸法に構成されている。
【００２１】
厚紙製広告媒体Ｃの表面Ｃ１には、図１に示すように各種の絵柄Ｆ、Ｆ、…や文字Ｌ、Ｌ、…、また地図Ｔが印刷されている。図１に示す厚紙製広告媒体Ｃは自動車の展示会というイベントを告知するために配布されるチラシ広告として構成されたものであるので、絵柄Ｆ、Ｆ、…や文字Ｌ、Ｌ、…、また地図Ｔは上記イベントの内容に即したものとなっており、同時に、函用型紙１０がポケットティッシュ用函１（図４ｃ参照）として組立てられた場合に適合するように配設されている。Ｊ、Ｊは厚紙製広告媒体Ｃを受け取った消費者が個人情報を記載するための情報記載欄であり、キリトリ線Ｄ１、Ｄ２（図２参照）によって切断された後はプレゼント引換券として機能する個人情報採取用カード３、４を構成するためのカード用型紙３０、４０の部分に印刷されている。なお、Ｅ１、Ｅ２はポケットティッシュ用函１と台座２（図４ｃ参照）の作り方の説明である。
【００２２】
図２は厚紙製広告媒体Ｃの裏面Ｃ２を示す。切断線Ａ１、Ａ２、Ａ３と折線Ｂ１、Ｂ２、Ｂ３に関しては表面Ｃ１（図１参照）と同一である。Ｄ１、Ｄ２は上記のようにキリトリ線で、破線が裏面Ｃ２に単に印刷されただけのものであり、穿設されたものではない。キリトリ線Ｄ１、Ｄ２は、厚紙製広告媒体Ｃを受け取った消費者がハサミ（図示せず）等にて切断することにより個人情報採取用カード３、４（図３ｂ、図３ｃ参照）となるカード用型紙３０、４０を構成するものである。厚紙製広告媒体Ｃの裏面Ｃ２にも、図２に示すように各種の絵柄Ｆ、Ｆ、…や文字Ｌ、Ｌ、…、また地図Ｔが印刷されているが、これらの絵柄Ｆ、Ｆ、…や文字Ｌ、Ｌ、…、また地図Ｔは、やはり自動車の展示会というイベントを告知するために配布されるチラシ広告として構成されたものである。なお、裏面Ｃ２は函用型紙１０がポケットティッシュ用函１（図４ｃ参照）として組立てられた場合にはポケットティッシュ用函１の内部に隠されてしまうので、裏面Ｃ２に配設された各種の絵柄Ｆ、Ｆ、…や文字Ｌ、Ｌ、…、地図Ｔの配置はポケットティッシュ用函１の構成には関係なく、裏面Ｃ２自体が独立したチラシ広告として機能することのみを目的として構成されているものである。また、Ｌｐ、Ｌｐはプレゼント引換券として機能することを表示する文字で、カード用型紙３０、４０の部分に印刷されている。
【００２３】
図３ａは、切断線Ａ１、Ａ２（図１、図２参照）により函用型紙１０を切り離した状態を示すものであり、１１はポケットティッシュ用函１（図４ｃ参照）が組立てられた場合の上面であり、１１ａはポケットティッシュの取出口、１２は底面、１３は左側面、１４は右側面、１５は正面、１６は背面である。また、１２ａは糊代、１３ａ、１４ａ、１５ａ、１５ｂ、１６ａ、１６ｂは折込片である。図３ｂはキリトリ線Ｄ１（図２参照）によりカード用型紙３０を切り離した状態を示すものであり、カード用型紙３０はそのまま個人情報採取用カード３となる。また、図３ｃはキリトリ線Ｄ２（図２参照）によりカード用型紙４０を切り離した状態を示すものであり、カード用型紙４０はそのまま個人情報採取用カード４となる。なお、カード用型紙３０、４０には情報記載欄Ｊ、Ｊが印刷されている。図３ｄは、切断線Ａ３（図１、図２参照）により台座用型紙２０を切り離した状態を示すものであり、２１は台座２（図４ｂ参照）が組立てられた場合の上面であり、２２、２３は台座２の脚である。また、２２ａ、２３ａは脚２２、２３を組み合わせる際の凹部である。
【００２４】
＜実施例１の作用＞
実施例１の組立式ポケットティッシュ用函Ｋは、図５に示すように厚紙製広告媒体Ｃを折線Ｂ２にて二つ折りした状態で封筒Ｇに入れられ（方向ｌ）、消費者に配布される。この際、厚紙製広告媒体Ｃは、裏面Ｃ２の方を表にして二つ折りにされるものである。また、図５に示す封筒Ｇは透明の蓋なしの封筒であるが、透明の蓋ありの封筒あるいは不透明の封筒（図示せず）を用いてもなんらさしつかえはない。なお、封筒Ｇの大きさは、所謂角２と呼ばれるサイズのもので、二つ折りにされた状態でＡ列４番の寸法となる厚紙製広告媒体Ｃが余裕をもって入る寸法となっている。実施例１の組立式ポケットティッシュ用函Ｋは、さらに、封筒ＧにポケットティッシュＰを入れて（方向ｍ）消費者に配布される。
【００２５】
図５に示す封筒Ｇ入りの組立式ポケットティッシュ用函Ｋを配布された消費者は、厚紙製広告媒体Ｃの状態の組立式ポケットティッシュ用函Ｋを封筒Ｇから取出し、二つ折りにされた厚紙製広告媒体Ｃを広げると、図１、図２に示す状態となる。ここで、消費者は、切断線Ａ１〜Ａ３を指にて切断し、キリトリ線Ｄ１、Ｄ２をハサミ等にて切断すると、図３ａ〜図３ｄに示す状態となる。なお、図３ａ〜図３ｄにては、厚紙製広告媒体Ｃから函用型紙１０、台座用型紙２０、カード用型紙３０、４０を切り取った剰余の部分は省いて示してある。
【００２６】
図４ａは、函用型紙１０を図３ａの折線Ｂ１、Ｂ２にて折曲した状態を示す。なお、図４ａ〜図４ｄは立体的な構成を示すのが主眼であるので、印刷された絵柄や文字は省いて示してある。図４ａにて、底面１２の糊代１２ａを背面１６の内側下部に両面テープ（図示せず）等にて接着し（方向ａ）、折込片１５ａを折込み（方向ｂ）、折込片１６ａを折込み（方向ｃ）、さらに左側面１３と折込片１３ａを折込む（方向ｄ）と、図４ｂに示す状態となり、ポケットティッシュ用函１が略完成する。
【００２７】
次に、図３ｄの台座用型紙２０を折線Ｂ３、Ｂ３にて折曲し、台座用型紙２０の脚２２を方向ｊに、脚２３を方向ｋに折込んで凹部２２ａと凹部２３ａを係合させると図４ｂに示す台座２が完成するので、台座２をポケットティッシュ用函１に対して図４ｂに示す向きにして台座２の上面２１にポケットティッシュＰを載置して（方向ｅ）、台座２とポケットティッシュＰの両方をポケットティッシュ用函１の右側面開口部１４ｂからポケットティッシュ用函１内部に挿嵌収納する（方向ｆ）。この際、台座２とポケットティッシュＰを合体させたまま上下を圧迫しつつ挿嵌収納する。そして収納が完了したら、折込片１５ｂを折込み（方向ｇ）、折込片１６ｂを折込み（方向ｈ）、さらに右側面１４と折込片１４ａを折込む（方向ｉ）と、図４ｃに示す状態となり、内部に台座２とポケットティッシュＰが収納された状態のポケットティッシュ用函１が完成する。
【００２８】
次に、消費者は、図３ｂに示す個人情報採取用カード３の情報記載欄Ｊ、及び図３ｃに示す個人情報採取用カード４の情報記載欄Ｊに個人情報を記載する。個人情報採取用カード３、４は裏面が図２に示すようにプレゼント引換券になっているので、消費者は、個人情報を記載した個人情報採取用カード３、４をイベント会場に持参することにより、個人情報採取用カード３、４と交換という形でプレゼント（図示せず）を受領する。広告主は、このような方法で採取した個人情報を、ダイレクトメール（図示せず）等のより確実な広告媒体を用いるための資料とするものである。なお、実施例１にては、自動車関連のイベントとして絵柄や文字を構成しているが、むろん内容は自動車関連に限定されず、住宅関連のイベント、趣味関連のイベントや食品関連のイベント等、その対象は何でも良い。
【図面の簡単な説明】
【００２９】
【図１】本考案の実施例１の組立式ポケットティッシュ用函の表面の外観斜視図である。
【図２】本考案の実施例１の組立式ポケットティッシュ用函の裏面の外観斜視図である。
【図３】（ａ）本考案の実施例１の組立式ポケットティッシュ用函の函用型紙の外観斜視図である。（ｂ）本考案の実施例１の組立式ポケットティッシュ用函の個人情報採取用カードの外観斜視図である。（ｃ）本考案の実施例１の組立式ポケットティッシュ用函の個人情報採取用カードの外観斜視図である。（ｄ）本考案の実施例１の組立式ポケットティッシュ用函の台座用型紙の外観斜視図である。
【図４】（ａ）本考案の実施例１の組立式ポケットティッシュ用函のポケットティッシュ用函を組立てる工程を説明する説明図である。    （ｂ）本考案の実施例１の組立式ポケットティッシュ用函のポケットティッシュ用函を組立てる工程を説明する説明図である。    （ｃ）本考案の実施例１の組立式ポケットティッシュ用函のポケットティッシュ用函を組立てる工程を説明する説明図である。    （ｄ）本考案の実施例１の組立式ポケットティッシュ用函のポケットティッシュ用函を組立てる工程を説明する説明図である。
【図５】本考案の実施例１の組立式ポケットティッシュ用函を封筒に収納する工程を説明する説明図である。
【符号の説明】
【００３０】
１      ポケットティッシュ用函
１０    函用型紙
１１    上面
１１ａ  取出口
１２    底面
１２ａ  糊代
１３    左側面
１３ａ  折込片
１４    右側面
１４ａ  折込片
１４ｂ  右側面開口部
１５    正面
１５ａ  折込片
１５ｂ  折込片
１６    背面
１６ａ  折込片  
１６ｂ  折込片
２      台座
２０    台座用型紙
２１    上面
２２    脚
２２ａ  凹部
２３    脚
２３ａ  凹部
３      個人情報採取用カード
３０    カード用型紙
４      個人情報採取用カード
４０    カード用型紙
Ａ１    切断線
Ａ２    切断線
Ａ３    切断線
Ｂ１    折線
Ｂ２    折線
Ｂ３    折線
Ｃ      厚紙製広告媒体
Ｃ１    表面
Ｃ２    裏面
Ｄ１    キリトリ線
Ｄ２    キリトリ線
Ｅ１    作り方の説明
Ｅ２    作り方の説明
Ｆ      絵柄
Ｇ      封筒
Ｊ      情報記載欄
Ｋ      組立式ポケットティッシュ用函
Ｌ      文字
Ｌｐ    文字
Ｐ      ポケットティッシュ
Ｔ      地図
ａ      方向
ｂ      方向
ｃ      方向
ｄ      方向
ｅ      方向
ｆ      方向
ｇ      方向
ｈ      方向
ｉ      方向
ｊ      方向
ｋ      方向
ｌ      方向
ｍ      方向
【図１】
0003104650.tif 000003
【図２】
0003104650.tif 000004
【図３】
0003104650.tif 000005
【図４】
0003104650.tif 000006
【図５】
0003104650.tif 000007
【手続補正書】
【提出日】平成16年5月12日(2004.5.12)
【手続補正１】
【補正対象書類名】実用新案登録請求の範囲
【補正対象項目名】全文
【補正方法】変更
【補正の内容】
【実用新案登録請求の範囲】
【請求項１】
組立式ポケットティッシュ用函に於て、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成したことを特徴とする組立式ポケットティッシュ用函。
【請求項２】
組立式ポケットティッシュ用函に於て、配布時には、広報が印刷され且ミシン目である切断線が穿設され折曲用の折線が刻設されキリトリ線が印刷された平面形状の厚紙製公報媒体の状態で、該厚紙製公報媒体を上記ミシン目である切断線にて切断し上記折線にて折曲し一部を接着することによりポケットティッシュ用函が組立てられるように構成したことを特徴とする組立式ポケットティッシュ用函。
【請求項３】
上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする請求項１に記載の組立式ポケットティッシュ用函。
【請求項４】
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする請求項３に記載の組立式ポケットティッシュ用函。
【手続補正２】
【補正対象書類名】明細書
【補正対象項目名】０００１
【補正方法】変更
【補正の内容】
【０００１】
本考案は、組立式ポケットティッシュ用函に関するものであり、さらに詳しくは、下記の構成を有する組立式ポケットティッシュ用函に関するものである。
＜構成１＞
組立式ポケットティッシュ用函に於て、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成したことを特徴とする組立式ポケットティッシュ用函。
＜構成２＞
組立式ポケットティッシュ用函に於て、配布時には、広報が印刷され且ミシン目である切断線が穿設され折曲用の折線が刻設されキリトリ線が印刷された平面形状の厚紙製公報媒体の状態で、該厚紙製公報媒体を上記ミシン目である切断線にて切断し上記折線にて折曲し一部を接着することによりポケットティッシュ用函が組立てられるように構成したことを特徴とする組立式ポケットティッシュ用函。
＜構成３＞
上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする構成１に記載の組立式ポケットティッシュ用函。
＜構成４＞
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする構成３に記載の組立式ポケットティッシュ用函。
【手続補正３】
【補正対象書類名】明細書
【補正対象項目名】００１１
【補正方法】変更
【補正の内容】
【００１１】
本考案は、上記課題を解決するためになされたものであって、以下の解決手段を提供するものである。
＜解決手段１＞
組立式ポケットティッシュ用函に於て、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成したことを特徴とする組立式ポケットティッシュ用函。
＜解決手段２＞
組立式ポケットティッシュ用函に於て、配布時には、広報が印刷され且ミシン目である切断線が穿設され折曲用の折線が刻設されキリトリ線が印刷された平面形状の厚紙製公報媒体の状態で、該厚紙製公報媒体を上記ミシン目である切断線にて切断し上記折線にて折曲し一部を接着することによりポケットティッシュ用函が組立てられるように構成したことを特徴とする組立式ポケットティッシュ用函。
＜解決手段３＞
上記厚紙製広告媒体のポケットティッシュ用函として用いない部分の一部を上記キリトリ線にて切断することにより住所、氏名等の個人情報を採取できる個人情報採取用カードとして使用できるように構成してあることを特徴とする解決手段１に記載の組立式ポケットティッシュ用函。
＜解決手段４＞
上記厚紙製広告媒体が印刷用紙の規格サイズの一種であるＡ列３番の寸法、すなわち１辺が２９７ｍｍで他辺が４２０ｍｍの寸法に構成されていること、あるいは上記Ａ列３番の寸法に近い寸法、すなわち１辺が、２９７ｍｍを除く２７０ｍｍ〜３４０ｍｍの範囲内の寸法に構成され、他辺が、４２０ｍｍを除く３９０ｍｍ〜４７０ｍｍの範囲内の寸法に構成されていることを特徴とする解決手段３に記載の組立式ポケットティッシュ用函。
【手続補正４】
【補正対象書類名】明細書
【補正対象項目名】００１３
【補正方法】変更
【補正の内容】
【００１３】
本考案の解決手段１の考案によれば、組立式ポケットティッシュ用函に於て、配布時には、広告が印刷され且ミシン目である切断線が穿設され折曲用の折線が刻設されキリトリ線が印刷された平面形状の厚紙製広告媒体の状態で、該厚紙製広告媒体を上記ミシン目である切断線にて切断し上記折線にて折曲し一部を接着することによりポケットティッシュ用函が組立てられるように構成できるので、配布時には、平面形状の広告媒体として充分に機能することにより、受け取った人の注意を、組立式ポケットティッシュ用函、あるいはその型紙を貰ったという意識よりも、広告媒体の広告内容の方に引き付けることができ、ポケットティッシュ用函として組立てられたあとは立体的な広告媒体として機能することができる。
【手続補正５】
【補正対象書類名】明細書
【補正対象項目名】００１４
【補正方法】変更
【補正の内容】
【００１４】
本考案の解決手段２の考案によれば、組組立式ポケットティッシュ用函に於て、配布時には、広報が印刷され且ミシン目である切断線が穿設され折曲用の折線が刻設されキリトリ線が印刷された平面形状の厚紙製公報媒体の状態で、該厚紙製公報媒体を上記ミシン目である切断線にて切断し上記折線にて折曲し一部を接着することによりポケットティッシュ用函が組立てられるように構成できるので、配布時には、平面形状の公報媒体として充分に機能することにより、受け取った人の注意を、組立式ポケットティッシュ用函、あるいはその型紙を貰ったという意識よりも、公報媒体の公報内容の方に引き付けることができ、ポケットティッシュ用函として組立てられたあとは立体的な公報媒体として機能することができる。